(57)【要約】【課題】本発明は点灯装置および照明器具に関し、電線を端子台に容易に接続できる点灯装置および照明器具を得ることを目的とする。【解決手段】本発明に係る点灯装置は、光源を点灯させる点灯回路が形成された基板と、該基板の第１面に設けられ、電線が接続される接続口を有する端子台と、を備える回路ユニットと、該端子台を覆うケースと、を備え、該ケースには、該接続口を露出させる電線接続穴と、該接続口への電線の差し込み方向で、該電線接続穴と該接続口との間に設けられる配線確認穴と、が形成される。【選択図】図１
2020166972.tif 000002
【特許請求の範囲】
【請求項１】
光源を点灯させる点灯回路が形成された基板と、前記基板の第１面に設けられ、電線が接続される接続口を有する端子台と、を備える回路ユニットと、
前記端子台を覆うケースと、
を備え、
前記ケースには、前記接続口を露出させる電線接続穴と、前記接続口への電線の差し込み方向で、前記電線接続穴と前記接続口との間に設けられる配線確認穴と、が形成されることを特徴とする点灯装置。
【請求項２】
前記ケースは、前記基板の前記第１面側を覆い、前記回路ユニットを収納することを特徴とする請求項１に記載の点灯装置。
【請求項３】
前記電線接続穴は、前記ケースの第１側面に形成され、
前記配線確認穴は、前記ケースのうち前記第１面と対向する主面に形成されることを特徴とする請求項１または２に記載の点灯装置。
【請求項４】
前記ケースの前記主面と、前記ケースの前記第１側面の両側に設けられた第２側面は、前記端子台と離れていることを特徴とする請求項３に記載の点灯装置。
【請求項５】
前記ケースは、前記第１側面の前記主面と反対側の端部から外側に延びるフランジを有する請求項３または４の何れか１項に記載の点灯装置。
【請求項６】
前記端子台は、前記主面と対向する面に、押下することで前記接続口から前記電線が取り外される解除部を有し、
前記ケースには、前記主面の前記解除部と対向する位置に治具挿入穴が設けられ、
前記配線確認穴は、前記第１面と垂直な方向から見て前記電線接続穴と前記治具挿入穴との間に形成されることを特徴とする請求項３から５の何れか１項に記載の点灯装置。
【請求項７】
前記端子台は、押下することで前記接続口から前記電線が取り外される解除部を有し、
前記ケースには、前記解除部と対向する位置に治具挿入穴が設けられることを特徴とする請求項１または２に記載の点灯装置。
【請求項８】
前記解除部は、押下することで前記接続口から前記電線が取り外される複数の解除操作部を有し、
前記治具挿入穴は、前記複数の解除操作部と対向する位置にそれぞれ設けられた複数の挿入穴を含むことを特徴とする請求項６または７に記載の点灯装置。
【請求項９】
前記解除部は、押下することで前記接続口から前記電線が取り外される複数の解除操作部を有し、
前記治具挿入穴は、前記複数の解除操作部を露出させるように１つ設けられることを特徴とする請求項６または７に記載の点灯装置。
【請求項１０】
前記ケースは、前記基板の前記第１面と反対の面である第２面側を露出させることを特徴とする請求項１から９の何れか１項に記載の点灯装置。
【請求項１１】
前記第２面に設けられ、前記点灯回路を制御する制御部を備えることを特徴とする請求項１０に記載の点灯装置。
【請求項１２】
前記第１面に設けられた接地用端子を備え、
前記ケースには、前記接地用端子と対向する位置に接地用穴が形成されることを特徴とする請求項１から１１の何れか１項に記載の点灯装置。
【請求項１３】
請求項１から１２の何れか１項に記載の点灯装置と、
前記光源を有する灯具と、
を備えることを特徴とする照明器具。
【請求項１４】
前記点灯装置は、前記基板の前記第１面と反対の面である第２面が前記灯具と対向するように、前記灯具に取り付けられることを特徴とする請求項１３に記載の照明器具。
【発明の詳細な説明】
【技術分野】
【０００１】
本発明は、点灯装置および照明器具に関する。
【背景技術】
【０００２】
特許文献１には、ランプを点灯させる点灯回路が実装され、端部に端子台を備えるプリント基板と、プリント基板を収納するケースとを備える点灯装置が開示されている。ケースには、端子台の少なくとも一部を覆う閉塞部材が取り付けられる。端子台は、電線と接続され、閉塞部材は、電線を通過させるための電線開口部を備える。
【先行技術文献】
【特許文献】
【０００３】
【特許文献１】特許第５２９４７６６号公報
【発明の概要】
【発明が解決しようとする課題】
【０００４】
一般に、点灯装置をケースに収納することで、点灯装置に発煙、発火等の不測の事態が生じた場合に、点灯装置外に延焼する可能性を低くできる。また、ケースと端子台の空間距離を確保することで、安全性をさらに向上できる。一方、特許文献１のような点灯装置において、ケースと端子台の間の空間距離を確保すると、配線時に端子台の差込口が見づらくなり、配線を端子台に挿しにくくなるおそれがある。
【０００５】
本発明は、上述の課題を解決するためになされたもので、電線を端子台に容易に接続できる点灯装置および照明器具を得ることを目的とする。
【課題を解決するための手段】
【０００６】
本発明に係る点灯装置は、光源を点灯させる点灯回路が形成された基板と、該基板の第１面に設けられ、電線が接続される接続口を有する端子台と、を備える回路ユニットと、該端子台を覆うケースと、を備え、該ケースには、該接続口を露出させる電線接続穴と、該接続口への電線の差し込み方向で、該電線接続穴と該接続口との間に設けられる配線確認穴と、が形成される。
【発明の効果】
【０００７】
本発明に係る点灯装置では、配線確認穴から電線と端子台との位置関係を確認できる。従って、電線を端子台に容易に接続できる。
【図面の簡単な説明】
【０００８】
【図１】実施の形態１に係る照明器具の出力側の斜視図である。
【図２】実施の形態１に係る照明器具の入力側の斜視図である。
【図３】実施の形態１に係る点灯装置の分解斜視図である。
【図４】実施の形態１に係る回路ユニットの斜視図である。
【図５】実施の形態１に係る回路ユニットの平面図である。
【図６】実施の形態１に係る回路ユニットの正面図である。
【図７】実施の形態１に係る照明器具の回路ブロック図である。
【図８】実施の形態１に係る点灯装置の平面図である。
【図９】実施の形態１に係る点灯装置の正面図である。
【図１０】実施の形態１に係る点灯装置の底面斜視図である。
【図１１】実施の形態１に係る点灯装置の上面斜視図である。
【図１２】実施の形態１に係る点灯装置の左側面図である。
【図１３】実施の形態１に係る点灯装置の底面図である。
【図１４】実施の形態１に係る点灯装置の右側面図である。
【図１５】実施の形態１に係る点灯装置の背面図である。
【図１６】基板押さえ部を折り曲げた状態を示す底面図である。
【図１７】基板押さえ部を折り曲げた状態を示す背面図である。
【図１８】比較例に係る照明器具の出力側の斜視図である。
【図１９】比較例に係る照明器具の入力側の斜視図である。
【図２０】比較例に係る点灯装置の底面斜視図である。
【図２１】比較例に係る点灯装置の上面斜視図である。
【図２２】実施の形態１の第１の変形例に係る点灯装置の平面図である。
【図２３】実施の形態１の第２の変形例に係る点灯装置の平面図である。
【発明を実施するための形態】
【０００９】
本発明の実施の形態に係る点灯装置および照明器具について図面を参照して説明する。同じ又は対応する構成要素には同じ符号を付し、説明の繰り返しを省略する場合がある。
【００１０】
実施の形態１．
図１は、実施の形態１に係る照明器具５の出力側の斜視図である。図２は、実施の形態１に係る照明器具５の入力側の斜視図である。照明器具５は、灯具４と点灯装置１とを備える。灯具４は、フレーム４１と、カバー４２とを備える。フレーム４１は金属から形成され、平板状である。フレーム４１は平面視で長方形である。カバー４２は後述する光源を覆う。
【００１１】
フレーム４１には点灯装置１が固定される。点灯装置１には電線接続穴３２−１、３３１を通って電線６１、６２が差し込まれる。電線６１は入力側に設けられ、外部電源と電気的に接続される。電線６２は出力側に設けられ、負荷である光源と電気的に接続される。
【００１２】
図３は、実施の形態１に係る点灯装置１の分解斜視図である。点灯装置１は、回路ユニット２０と、回路ユニット２０を収納するケース３を備える。ケース３は金属から形成される。ケース３は板金を折り曲げ形成される。ケース３は、回路ユニット２０を収納する収納部３６を有する。収納部３６は、底面側の一面が開口した箱形である。点灯装置１では、回路ユニット２０の下面がケース３に覆われていない。そのため、点灯装置１は単体で電力供給可能な直流電源ではない。点灯装置１は灯具４に取り付けられて使用される。
【００１３】
ケース３は、長方形の主面３１を有する。主面３１はケースの上面である。主面３１の長手方向の両側には、第１側面３２、３３が設けられる。第１側面３２の両側には、第２側面３４、３５が設けられる。
【００１４】
図４は、実施の形態１に係る回路ユニット２０の斜視図である。図５は、実施の形態１に係る回路ユニット２０の平面図である。図６は、実施の形態１に係る回路ユニット２０の正面図である。回路ユニット２０は基板２を備える。基板２には、光源を点灯させる点灯回路が形成される。基板２は長方形である。基板２は第１面２ａと第１面２ａと反対の面である第２面２ｂとを有する。第１面２ａは部品面、第２面２ｂははんだ面とも呼ばれる。
【００１５】
ケース３は、基板２の第１面２ａ側を覆う。基板２は、第１面２ａがケース３の収納部３６側を向き、第２面２ｂがケース３の開口部側を向くように配置される。ケース３は、基板２の第２面２ｂ側を露出させる。点灯装置１は、基板２の第２面２ｂが灯具４のフレーム４１と対向するように、灯具４に取り付けられる。ケース３の開口部はフレーム４１に塞がれる。
【００１６】
基板２の長手方向の端部、第１面２ａおよび第２面２ｂは、図示しない絶縁シートで覆われる。絶縁シートは、例えば難燃グレードの樹脂シートを折り曲げて形成される。
【００１７】
基板２の第１面２ａには、入力側の端子台２１と出力側の端子台２２が設けられる。端子台２１は基板２の長手方向の一端に設けられ、端子台２２は基板２の長手方向の他端に設けられる。端子台２１は、電線６１が接続される接続口２１−１を有する。端子台２２は、電線６２が接続される接続口２２−１を有する。接続口２１−１、２２−１は、それぞれ基板２の長手方向の外側を向く。接続口２１−１は第１側面３２と対向し、接続口２２−１は、第１側面３３と対向する。
【００１８】
端子台２１は、電線６１を外す際に押される解除部を有する。解除部は、複数の解除操作部２１−２から構成される。複数の解除操作部２１−２の各々は、押下されることで接続口２１−１から電線６１が取り外される。複数の解除操作部２１−２は、ケース３の主面３１と対向する端子台２１の上面に設けられる。複数の解除操作部２１−２の各々は、治具が差し込まれる穴を有する。
【００１９】
同様に、端子台２２は、電線６２を外す際に押される解除部を有する。解除部は、複数の解除操作部２２−２から構成される。複数の解除操作部２２−２の各々は、押下されることで接続口２２−１から電線６１が取り外される。複数の解除操作部２２−２は、ケース３の主面３１と対向する端子台２２の上面に設けられる。複数の解除操作部２２−２の各々は、治具が差し込まれる穴を有する。
【００２０】
端子台２１、２２の各々は、基板２の長手方向の端部から平面視で１．０ｍｍ以上離れて配置される。従って、ケース３に収納された端子台２１、２２は、ケース３の第１側面３２、３３から平面視で１．０ｍｍ以上の空間距離を確保するように離隔して配置される。また、端子台２１、２２の各々は、基板２の短手方向の端部から平面視で２．０ｍｍ以上離れて配置される。従って、ケース３に収納された端子台２１、２２は、ケース３の第２側面３４、３５から平面視で２．０ｍｍ以上の空間距離を確保するように離隔して配置される。
【００２１】
また、側面視において、端子台２１、２２は、基板２の第１面２ａに設けられたコイル２４ａ、電解コンデンサ２４ｂ、ラインフィルタ２４ｃよりも低い。端子台２１、２２は、ケース３の主面３１から６．０ｍｍ以上離れて配置される。
【００２２】
一般に、ケース３の主面３１は、手などで押されやすい。このため、主面３１と端子台２１、２２の空間距離が縮まるおそれがある。本実施の形態では、主面３１と端子台２１、２２との空間距離が大きく確保されているため、ケース３が押された際に端子台２１、２２に加わる応力を抑制できる。
【００２３】
また、ケース３の主面３１、第１側面３２、３３および第２側面３４、３５は、端子台２１、２２と離れている。これにより、充電部である端子台２１、２２とケース３との絶縁距離を確保でき、点灯装置１の安全性を向上できる。
【００２４】
ここで、ケース３が金属から形成される場合、ケース３はアースするおそれのある非充電金属部に該当する。このとき、端子台２１、２２として電気用品安全法の別表第八附表第二に規定される空間距離を確保した部品を選定しても良い。
【００２５】
また、端子台２１、２２とケース３の第１側面３２、３３との絶縁距離は、第１側面３２、３３に電線接続穴３２−１、３３−１をそれぞれ設けることにより確保しても良い。この場合、ケース３のうち、第１側面３２、３３を除く面が、端子台２１、２２から離隔して配置されても良い。
【００２６】
また、図６に示されるように、基板２の第２面２ｂには、点灯回路を制御する制御部２５が設けられる。制御部２５は例えばマイコンである。本実施の形態では、基板２の第２面２ｂがケース３の開口部側に配置される。このため、基板２をケース３から外すことなく、制御部２５で実行されるプログラムの書換えを行うことができる。これにより、基板２に実装された制御部２５のプログラムの書換えを容易にできる。
【００２７】
図７は、実施の形態１に係る照明器具５の回路ブロック図である。照明器具５は、点灯装置１および光源６を備える。点灯装置１では、外部電源である交流電源ＡＣから端子台２１を介して点灯回路２８に電力が供給される。交流電源ＡＣは例えば商用電源である。点灯回路２８は、整流回路２６と電源回路２７を備える。整流回路２６は、交流電源ＡＣから供給される交流電圧を整流する。
【００２８】
電源回路２７は、例えば昇圧チョッパ回路とバックコンバータ回路を有する。昇圧チョッパ回路は、整流回路２６から供給される脈流電圧を昇圧し、直流高電圧を生成する。バックコンバータ回路は昇圧チョッパ回路の出力電圧を降圧して、端子台２２を介して光源６に定電流を供給する。制御部２５は、昇圧チョッパ回路とバックコンバータ回路のスイッチング素子をオンオフさせ、点灯回路２８を定電流制御する。以上から、点灯装置１は、外部から供給される電力を変換し、光源６を点灯させる。
【００２９】
図８は、実施の形態１に係る点灯装置１の平面図である。図９は、実施の形態１に係る点灯装置１の正面図である。図１０は、実施の形態１に係る点灯装置１の底面斜視図である。図１１は、実施の形態１に係る点灯装置１の上面斜視図である。図１２は、実施の形態１に係る点灯装置１の左側面図である。図１３は、実施の形態１に係る点灯装置１の底面図である。図１４は、実施の形態１に係る点灯装置１の右側面図である。図１５は、実施の形態１に係る点灯装置１の背面図である。
【００３０】
端子台２１、２２はケース３に覆われる。図１２に示されるように、電線接続穴３２−１は、ケース３の第１側面３２に形成される。電線接続穴３２−１は、接続口２１−１を露出させる。接続口２１−１は３つの電線差し込み部を有する。同様に、図１４に示されるように、電線接続穴３３−１は、ケース３の第１側面３３に形成される。電線接続穴３３−１は、接続口２２−１を露出させる。接続口２２−１は４つの電線差し込み部を有する。
【００３１】
また、図８に示されるように、ケース３のうち基板２の第１面２ａと対向する主面３１には、配線確認穴３１−３、３１−４が形成される。配線確認穴３１−３は、平面視で電線接続穴３２−１と接続口２１−１との間に設けられる。配線確認穴３３−３は、平面視で電線接続穴３３−１と接続口２２−１との間に設けられる。
【００３２】
また、配線確認穴３１−３は、基板２の第１面２ａと垂直な方向から見て電線接続穴３２−１と後述する挿入穴３１−１との間に形成される。また、配線確認穴３１−４は、基板２の第１面２ａと垂直な方向から見て電線接続穴３３−１と後述する挿入穴３１−２との間に形成される。
【００３３】
配線作業時に電線接続穴３２−１、３３−１から電線６１、６２と端子台２１、２２との位置関係を確認することを考える。この場合、点灯装置１の長手方向から電線接続穴３２−１、３３−１を覗き込むと、灯具４上に配置された部品が確認の妨げとなるおそれがある。また、本実施の形態では端子台２１、２２がケース３から離隔している。このため、さらに確認が困難となるおそれがある。これに対し本実施の形態では、作業者は、配線確認穴３１−３、３１−４から、電線６１、６２と端子台２１、２２との位置関係を確認できる。
【００３４】
また、ケース３には、主面３１の複数の解除操作部２１−２と対向する位置に治具挿入穴が設けられる。治具挿入穴は、複数の解除操作部２１−２と対向する位置にそれぞれ設けられた複数の挿入穴３１−１を含む。同様に、ケース３には、主面３１の複数の解除操作部２２−２と対向する位置に治具挿入穴が設けられる。治具挿入穴は、複数の解除操作部２２−２と対向する位置にそれぞれ設けられた複数の挿入穴３１−２を含む。
【００３５】
挿入穴３１−１、３１−２には、マイナスドライバ等の治具が挿入される。これにより、治具で解除操作部２１−２、２２−２を押下できる。
【００３６】
１つの解除操作部毎に対応する挿入穴が形成されることで、治具挿入穴を治具を挿入する際のガイドとして利用できる。従って、解除操作部を容易に押下できる。また、治具挿入穴が１つの長穴である場合と比較して、ほこりおよび虫等の異物がケース３内に侵入することを抑制できる。また、複数の挿入穴の数を参考に、ケース３に基板２を配置する向きを容易に確認できる。
【００３７】
また、主面３１の４隅には、凸部３１−５が形成される。凸部３１−５により、主面３１を下にしてケース３を置いたときに、主面３１と床等との接触面積を低減させることができる。これにより、主面３１の損傷を抑制できる。
【００３８】
また、主面３１には加工用基準穴３１−６が形成される。加工用基準穴３１−６を用いることで、板金を折り曲げ加工する際の位置決めができる。ケース３の成形後は、加工用基準穴３１−６からケース３に回路ユニット２０が取り付けられていることを確認できる。
【００３９】
図１２、１４に示されるように、電線接続穴３２−１、３３−１は、側面視でそれぞれ接続口２１−１、２２−１の全体を露出させる。電線接続穴３２−１、３３−１の端面はケース３の外側方向にカール加工される。カール加工により、電線６１、６２が電線接続穴３２−１、３３−１の端面に接触することで、電線６１、６２に傷が付くことを抑制できる。また、傷の防止のために樹脂カバー等の保護部材を設ける必要が無く、部品数を低減できる。
【００４０】
ケース３は、第１側面３２、３３の主面３１と反対側の端部からそれぞれ外側に延びるフランジ３２−２、３３−２を有する。フランジ３２−２、３３−２は、第１側面３２、３３の端部が折り曲げられて形成される。フランジ３２−２、３３−２には、それぞれ固定部３２−３、３３−３が設けられる。固定部３２−３、３３−３は点灯装置１をフレーム４１に固定するためのねじ穴等である。
【００４１】
本実施の形態では、フランジ３２−２、３３−２を用いて、点灯装置１をフレーム４１に固定する。これにより、ケース３の開口部を覆うように点灯装置１を灯具４に固定できる。また、ケース３の長手方向端部にフランジ３２−２、３３−２が設けられることで、点灯装置１の短手方向の幅を抑制できる。
【００４２】
また、図１３に示されるように、第２側面３４、３５の端部には、内側曲げ部３４−４、３５−４がそれぞれ設けられる。内側曲げ部３４−４、３５−４は、第１側面３２、３３の内側に曲げられる。内側曲げ部３４−４、３５−４により、点灯装置１が落下した場合に衝撃で第１側面３２、３３がケース３の内側に曲がる変形を抑制できる。
【００４３】
また、図９に示されるように、ケース３の第２側面３４には、基板受け部３４−１、補助基板受け部３４−２および基板押さえ部３４−３が形成される。基板受け部３４−１および基板押さえ部３４−３は、基板２を挟持する。補助基板受け部３４−２は、基板２の第１面２ａを保持する。補助基板受け部３４−２により、長尺状の基板２がたわむことを抑制できる。
【００４４】
同様に、図１５に示されるように、ケース３の第２側面３５には、基板受け部３５−１、補助基板受け部３５−２および基板押さえ部３５−３が形成される。基板受け部３５−１および基板押さえ部３５−３は、基板２を挟持する。補助基板受け部３５−２は、基板２の第１面２ａを保持する。補助基板受け部３５−２により、長尺状の基板２がたわむことを抑制できる。
【００４５】
図１６は、基板押さえ部３４−３、３５−３を折り曲げた状態を示す底面図である。図１７は、基板押さえ部３４−３、３５−３を折り曲げた状態を示す背面図である。基板押さえ部３４−３、３５−３を内側に折り曲げることで、基板２の第２面２ｂを保持できる。
【００４６】
図１８は、比較例に係る照明器具５ａの出力側の斜視図である。図１９は、比較例に係る照明器具５ａの入力側の斜視図である。比較例に係る照明器具５ａは灯具４と点灯装置１ａを備える。図２０は、比較例に係る点灯装置１ａの底面斜視図である。図２１は、比較例に係る点灯装置１ａの上面斜視図である。点灯装置１ａは、ケース３ａと回路ユニット２０ａを備える。
【００４７】
回路ユニット２０ａは、基板２のはんだ面がケース３ａの収納部側を向き、基板２の部品面がケース３ａの開口部側を向くように配置される。比較例の点灯装置１ａは、灯具４に取り付けられた状態において、端子台がケース３ａに隠れる。また、端子台はケース３ａの上から見て基板２の下に配置される。このため、本実施の形態のようにケース３ａの上面に配線確認穴を形成して配線の確認をすることはできない。
【００４８】
また、照明器具５ａにおいて、端子台の解除部はフレーム４１で覆われる。このため、誤配線した際に配線を外す場合は、一旦ケース３ａを灯具４から取り外す必要がある。
【００４９】
これに対し本実施の形態の点灯装置１では、ケース３が基板２の第１面２ａ側を覆い、ケース３の主面３１に治具挿入穴および配線確認穴３１−３、３１−４を形成する。これにより、電線６１、６２の接続および取り外しを容易にできる。
【００５０】
また、本実施の形態では、ケース３は箱状の１つの部品から形成される。さらに、ケース３の主面３１、第１側面３２、３３および第２側面３４、３５は全て平板状である。また、ケース３の収納部３６は高さが一定である。このため、例えばケースが蓋とカバーに分かれた構造または端子台のみを別部材で覆う構造と比較して、ケース３の部品数を低減できる。また、簡易な構造のケース３を容易に製造できる。
【００５１】
本実施の形態の変形例として、配線確認穴３１−３、３１−４の位置は図８に示される位置に限らない。配線確認穴３１−３、３１−４は、電線６１、６２と端子台２１、２２との位置関係を確認できるように設けられれば良い。配線確認穴３１−３、３１−４は、それぞれ接続口２１−１、２２−１の直上に設けられても良い。また、配線確認穴３１−３、３１−４は、ケース３の主面３１以外の面に設けられても良い。例えば、配線確認穴３１−３、３１−４はケース３の第２側面３４、３５に設けられても良い。
【００５２】
また、接続口２１−１、２２−１は基板２の長手方向の外側以外の方向を向いても良い。この場合、配線確認穴３１−３は、接続口２１−１への電線６１の差し込み方向において、電線接続穴３２−１と接続口２１−１との間に設けられれば良い。同様に、配線確認穴３１−４は、接続口２２−１への電線６２の差し込み方向において、電線接続穴３３−１と接続口２２−１との間に設けられれば良い。これにより、配線確認穴３１−３、３１−４から、電線６１、６２と端子台２１、２２との位置関係を確認できる。
【００５３】
また、本実施の形態のケース３は一面が開口していなくても良い。つまり、基板２の第２面２ｂ側もケース３に覆われていても良い。
【００５４】
図２２は、実施の形態１の第１の変形例に係る点灯装置１ｂの平面図である。点灯装置１ｂはケース３ｂを備える。ケース３ｂにおいて、治具挿入穴３１−１ｂ、３１−２ｂは、それぞれ複数の解除操作部２１−２、２２−２を露出させるように１つ設けられる。治具挿入穴３１−１ｂ、３１−２ｂの各々は、１つの長穴である。
【００５５】
この構成によれば、複数の解除操作部２１−２または複数の解除操作部２２−２の間隔等が変わっても、ケース３ｂを改造する必要がない。また、入力側の治具挿入穴３１−１ｂと出力側の治具挿入穴３１−２ｂの長さを変えてもよい。治具挿入穴３１−１ｂを治具挿入穴３１−２ｂよりも短くすることにより、ケース３ｂに対する基板２の向きを判別しやすくなる。
【００５６】
また、治具挿入穴３１−１ｂ、３１−２ｂは、それぞれ複数に分割されても良い。これにより、ケース３ｂの長穴近傍の強度を向上できる。また、ケース３ｂの長穴近傍の曲がりを抑制できる。また、治具挿入穴が複数の穴に分割される場合、複数の穴の間隔は、必要とされる強度等に応じて広げても良い。
【００５７】
図２３は、実施の形態１の第２の変形例に係る点灯装置１ｃの平面図である。点灯装置１ｃはケース３ｃを備える。ケース３ｃの主面３１には、接地用穴３１−７が形成される。図５に示されるように、基板２の第１面２ａには接地用端子２３が設けられる。接地用穴３１−７は、接地用端子２３とフレーム４１とを電気的に接続するために設けられる。
【００５８】
接地用端子２３はラグ端子とも呼ばれる。図６に示されるように、接地用端子２３は、整流回路２６の出力である２次側において、低電位側に接続される。接地用端子２３は、整流回路２６の低電位側の出力に、ノイズ対策部品を介して接続されても良い。ノイズ対策部品は、例えば抵抗またはコンデンサである。
【００５９】
フレーム４１には、接地用端子２３と接続するための図示しない切り起こしが形成される。切り起こしは、基板２の第２面２ｂ側から接地用端子２３に差し込まれる。接地用端子２３を基板２の第２面２ｂ側に設けて、フレーム４１の切り起こしと接続しても良い。
【００６０】
接地用穴３１−７は、ケース３ｃのうち接地用端子２３と対向する位置に形成される。接地用穴３１−７は、プラスドライバ等の治具を挿入するために設けられる。治具により、接地用端子２３とフレーム４１の切り起こしとは、ねじで締結される。これにより、接地用端子２３はフレーム４１と電気的に接続される。従って、フレーム４１は接地される。これにより、基板２のノイズへの耐性を向上できる。
【００６１】
本実施の形態で説明した点灯装置１は、図１に示される照明器具５に限らず、光源一体型照明、グリッド照明、間接照明等の各種の照明器具に用いることができる。
【００６２】
本実施の形態で説明した技術的特徴は適宜に組み合わせて用いてもよい。
【符号の説明】
【００６３】
５  照明器具、１、１ａ、１ｂ、１ｃ  点灯装置、２  基板、２ａ  第１面、２ｂ  第２面、３、３ａ、３ｂ、３ｃ  ケース、４  灯具、５、５ａ  照明器具、６  光源、２０、２０ａ  回路ユニット、２１  端子台、２１−１  接続口、２１−２  解除操作部、２２  端子台、２２−１  接続口、２２−２  解除操作部、２３  接地用端子、２４ａ  コイル、２４ｂ  電解コンデンサ、２４ｃ  ラインフィルタ、２５  制御部、２６  整流回路、２７  電源回路、２８  点灯回路、３１  主面、３１−１、３１−２  挿入穴、３１−１ｂ、３１−２ｂ  治具挿入穴、３１−３、３１−４  配線確認穴、３１−５  凸部、３１−６  加工用基準穴、３１−７  接地用穴、３２  第１側面、３２−１  電線接続穴、３２−２  フランジ、３２−３  固定部、３３  第１側面、３３−１  電線接続穴、３３−３  配線確認穴、３４  第２側面、３４−１  基板受け部、３４−２  補助基板受け部、３４−３  基板押さえ部、３４−４  内側曲げ部、３５  第２側面、３５−１  基板受け部、３５−２  補助基板受け部、３５−３  基板押さえ部、３５−４  内側曲げ部、３６  収納部、４１  フレーム、４２  カバー、６１、６２  電線、ＡＣ  交流電源
【図１】
2020166972.tif 000003
【図２】
2020166972.tif 000004
【図３】
2020166972.tif 000005
【図４】
2020166972.tif 000006
【図５】
2020166972.tif 000007
【図６】
2020166972.tif 000008
【図７】
2020166972.tif 000009
【図８】
2020166972.tif 000010
【図９】
2020166972.tif 000011
【図１０】
2020166972.tif 000012
【図１１】
2020166972.tif 000013
【図１２】
2020166972.tif 000014
【図１３】
2020166972.tif 000015
【図１４】
2020166972.tif 000016
【図１５】
2020166972.tif 000017
【図１６】
2020166972.tif 000018
【図１７】
2020166972.tif 000019
【図１８】
2020166972.tif 000020
【図１９】
2020166972.tif 000021
【図２０】
2020166972.tif 000022
【図２１】
2020166972.tif 000023
【図２２】
2020166972.tif 000024
【図２３】
2020166972.tif 000025